(57)【要約】【課題】  多くの乗客が携行している携帯電話機を航空機等の電波の発信制限が課されている領域において使用可能にする。【解決手段】  航空機等の電波の発信制限が課されている領域において、携帯電話機で前記領域を示す電波を検出し、前記電波を検出したとき前記携帯電話機の無線電波の出力を停止し、前記携帯電話機の入出力回路を外部と通信するための入出力インターフェースに切り換え、前記入出力インターフェースに接続された外部接続デバイスにより特別に無線通信を許可された無線ＬＡＮ親局と通信を行い、前記無線ＬＡＮ親局を通じた前記携帯電話機との通信をサーバーに集約し、前記航空機等に設けられたアンテナを経由して前記サーバーの通信を地上などに設置された他のサーバーに集約し、前記他のサーバーに集約された通信を地上の無線基地局より受信したごとくゲートウエイ通信を行う。【選択図】              図１
2006166002.tif 000002
【特許請求の範囲】
【請求項１】
航空機等の電波の発信制限が課されている領域において、携帯電話機又はこれに付加されたアダプタで前記領域を示す電波を検出するステップと、
前記電波を検出したとき、前記携帯電話機の無線電波の出力を停止するステップと、
前記電波を検出したとき、前記携帯電話機に搭載されているメーラーやブラウザの伝送の入出力回路を、外部と通信するために前記携帯電話機に設けられたＵＳＢ接続などの入出力インターフェースに切り換えるステップと、
前記入出力インターフェースに接続された外部接続デバイスにより、前記領域内で特別に無線通信を許可された無線ＬＡＮ親局と通信を行うステップと、
前記無線ＬＡＮ親局を通じた前記携帯電話機との通信をサーバーに集約するステップと、
前記航空機等に設けられたアンテナを経由して前記サーバーの通信を地上などに設置された他のサーバーに集約するステップと、
前記他のサーバーには携帯電話機のキャリアのネットワークセンターとの回線が接続されていて、前記他のサーバーに集約された前記航空機等の領域内の携帯電話機の通信を地上の無線基地局より受信したごとくゲートウエイ通信を行うステップと、を備える航空機等において携帯電話機を使用して通信を行う方法。
【請求項２】
航空機等の電波の発信制限が課されている領域において使用可能な携帯電話機であって、
前記領域において発信される前記領域を示す電波を検出する電波検出部と、
前記電波を検出したとき、前記携帯電話機の無線電波の出力を停止させる無線電波出力停止部と、
前記電波を検出したとき、前記携帯電話機に搭載されているメーラーやブラウザの伝送の入出力回路を、前記携帯電話機の外部と通信するために設けられたＵＳＢ接続などの入出力インターフェースに切り換えるインターフェース切換部と、
前記入出力インターフェースに接続され、前記領域内で特別に無線通信を許可された無線ＬＡＮ親局と通信を行う外部接続デバイスと、を備える携帯電話機。
【請求項３】
さらに、前記携帯電話機の無線電波の出力が停止されていること、及び／又は前記外部接続デバイスを使用して通信を行っていることを報知する報知手段を備えることを特徴とする請求項２記載の携帯電話機。
【請求項４】
航空機等の電波の発信制限が課されている領域において携帯電話機を使用可能にするための方法をコンピュータに実行させるためのプログラムであって、
携帯電話機又はこれに付加されたアダプタで前記領域を示す電波を検出するステップと、
前記電波を検出したとき、前記携帯電話機の無線電波の出力を停止するステップと、
前記電波を検出したとき、前記携帯電話機に搭載されているメーラーやブラウザの伝送の入出力回路を、前記携帯電話機の外部と通信するために設けられたＵＳＢ接続などの入出力インターフェースに切り換えるステップと、
前記入出力インターフェースに接続された外部接続デバイスにより、前記領域内で特別に無線通信を許可された無線ＬＡＮ親局と通信を行うステップと、をコンピュータに実行させるためのプログラム。
【発明の詳細な説明】
【技術分野】
【０００１】
この発明は、航空機等において携帯電話機を使用して通信を行う方法及び携帯電話機並びにプログラムに関し、特に、航空機等の電波の発信制限が課されている領域において携帯電話機を使用可能にする技術に関する。
【背景技術】
【０００２】
常時利用を前提とした携帯電話（携帯電話機）であるが、特定の領域、例えば運行中の航空機内部での使用は、安全上の問題から制限が設けられている。
また、航空機の運行高度と運行速度では、携帯電話機と電波のやりとりをする基地局と通信できるのは不可能な状況が発生する。
近年、特別に無線LAN親局が施工された航空機が登場している。当該航空機内では前記無線ＬＡＮと機内サーバーを使用してインターネット等を利用することができる。無線ＬＡＮと機内サーバーは、航空機に設けられた衛星通信用アンテナ及び通信衛星を介して地上のサーバーに接続されている。このような航空機ではノートPCやPDAの無線LANユニットを経由した通信が可能であるが、実際にそれらの機材を常時携行している旅客は少数である。
また、乗客に機内でPDAを配布したとしてもその使用法やメールアドレスの衆知などの問題は、数時間での機内滞在時間で解決できるものではなく、およそ実用的ではない。
【発明の開示】
【発明が解決しようとする課題】
【０００３】
上記問題点に鑑み、本発明は、多くの乗客が携行している携帯電話機を航空機等の電波の発信制限が課されている領域において使用可能にする技術を提供することを目的とする。例えば、運行されている航空機内部で携帯電話機のメールおよびブラウザの利用を可能にする。
【課題を解決するための手段】
【０００４】
この発明は、航空機等の電波の発信制限が課されている領域において、携帯電話機又はこれに付加されたアダプタで前記領域を示す電波を検出するステップと、
前記電波を検出したとき、前記携帯電話機の無線電波の出力を停止するステップと、
前記電波を検出したとき、前記携帯電話機に搭載されているメーラーやブラウザの伝送の入出力回路を、外部と通信するために前記携帯電話機に設けられたＵＳＢ接続などの入出力インターフェースに切り換えるステップと、
前記入出力インターフェースに接続された外部接続デバイスにより、前記領域内で特別に無線通信を許可された無線ＬＡＮ親局と通信を行うステップと、
前記無線ＬＡＮ親局を通じた前記携帯電話機との通信をサーバーに集約するステップと、
前記航空機等に設けられたアンテナを経由して前記サーバーの通信を地上などに設置された他のサーバーに集約するステップと、
前記他のサーバーには携帯電話機のキャリアのネットワークセンターとの回線が接続されていて、前記他のサーバーに集約された前記航空機等の領域内の携帯電話機の通信を地上の無線基地局より受信したごとくゲートウエイ通信を行うステップと、を備える方法である。
【０００５】
この発明は、航空機等の電波の発信制限が課されている領域において使用可能な携帯電話機であって、
前記領域において発信される前記領域を示す電波を検出する電波検出部と、
前記電波を検出したとき、前記携帯電話機の無線電波の出力を停止させる無線電波出力停止部と、
前記電波を検出したとき、前記携帯電話機に搭載されているメーラーやブラウザの伝送の入出力回路を、前記携帯電話機の外部と通信するために設けられたＵＳＢ接続などの入出力インターフェースに切り換えるインターフェース切換部と、
前記入出力インターフェースに接続され、前記領域内で特別に無線通信を許可された無線ＬＡＮ親局と通信を行う外部接続デバイスと、を備えるものである。
【０００６】
さらに、前記携帯電話機の無線電波の出力が停止されていること、及び／又は前記外部接続デバイスを使用して通信を行っていることを報知する報知手段を備えるようにしてもよい。
【０００７】
この発明は、航空機等の電波の発信制限が課されている領域において携帯電話機を使用可能にするための方法をコンピュータに実行させるためのプログラムであって、
携帯電話機又はこれに付加されたアダプタで前記領域を示す電波を検出するステップと、
前記電波を検出したとき、前記携帯電話機の無線電波の出力を停止するステップと、
前記電波を検出したとき、前記携帯電話機に搭載されているメーラーやブラウザの伝送の入出力回路を、前記携帯電話機の外部と通信するために設けられたＵＳＢ接続などの入出力インターフェースに切り換えるステップと、
前記入出力インターフェースに接続された外部接続デバイスにより、前記領域内で特別に無線通信を許可された無線ＬＡＮ親局と通信を行うステップと、をコンピュータに実行させるためのものである。
【０００８】
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【０００９】
また、電話回線等の有線通信媒体、マイクロ波回線等の無線通信媒体等の通信媒体を含む。インターネットもここでいう通信媒体に含まれる。
【００１０】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００１１】
本発明によれば、多くの乗客が携行している携帯電話機を航空機等の電波の発信制限が課されている領域において携帯電話機を使用可能とする。例えば、運行されている航空機内部で携帯電話機のメールおよびブラウザの利用を可能にする。
【発明を実施するための最良の形態】
【００１２】
多くの携帯電話（携帯電話機）には、メールおよびブラウザソフトが搭載されている。
既存のメールの伝送経路は次のようになっている。
メールは、携帯電話のメーラー−＞携帯電話無線ユニット−＞最寄の無線基地局−＞キャリアのネットワークセンター内部のメールシステム−＞中継網（主にInternet）−＞通信相手のメールシステム−＞通信相手のメーラーというルートでメールが伝送される
既存のブラウザの伝送経路は次のようになっている。
ブラウザは、携帯電話のブラウザ−＞携帯電話無線ユニット−＞最寄の無線基地局−＞キャリアのネットワークセンター内部のゲートウエイシステム−＞中継網（主にInternet）−＞通信相手のＷＷＷサーバー、そして、このルートの逆をたどって、情報が応答される。
既存の伝送経路と比較して、発明の目的を以下の方式で解決実現する。
【００１３】
発明の実施の形態について図面を参照して説明を加える。
【００１４】
図１は航空機内での携帯電話機の通信処理のフローチャートである。
携帯電話の内部ソフトで、電波の発信の出力検出を行い（Ｓ１）、この検出をした場合（Ｓ２でＹＥＳ）、携帯電話の電波の出力停止を行う（Ｓ３）。
携帯電話の搭載されているメーラーやブラウザの伝送の入出力回路を、内部ソフトによって、携帯電話の外部と通信するために設けられたＵＳＢ接続などの入出力のインターフェースに切り替える（Ｓ４）。
ここでいう、メーラーとブラウザとは基本的には携帯電話に添付されている標準ソフトをさすが、機能的に難しい場合は、別途上記の入出力インターフェース回路を経由して通信できる専用のソフトをもさす。
外部との通信のために設けられた入出力インターフェースには、特に改造が施された航空機に敷設された無線ＬＡＮ親局（公知）と通信できる、無線ＬＡＮカード機能を包含した、外部接続デバイスが装着されている。これが使用可能であれば（Ｓ５でＹＥＳ）、当該外部接続デバイスを通じて携帯電話機の外部と通信する。
この外部接続デバイスの主な機能は、航空機内の無線ＬＡＮ親局よりＤＨＣＰ方式で供給されるＩＰアドレスやＤＮＳのアドレスを処理することである。
この外部接続デバイスの装着によって、該当の携帯の通信は通常の無線電波によるものでなく、無線ＬＡＮ経由で行われることを客室乗務員や同乗の他旅客に暗黙のうちに知らしめる根拠となる。
なお、この外部接続デバイスは無線LANと通信していることを視覚的に知らせるためにLEDなどで表示（報知）を行うようにしてもよい（Ｓ６）。
【００１５】
図２は発明の実施の形態に係る携帯電話機の概略を示す。
機内電波検出部１１で電波の発信の出力検出を行い、この検出をした場合は無線電波出力停止部１２で携帯電話の電波の出力停止を行う。
同時に、インターフェース切換部１３で携帯電話の搭載されているメーラーやブラウザの伝送の入出力回路を、携帯電話の外部と通信するために設けられたＵＳＢ接続などの入出力のインターフェース１４に切り換える。
外部との通信のために設けられた入出力インターフェースには、特に改造が施された航空機に敷設された無線ＬＡＮ親局（公知）と通信できる、無線ＬＡＮカード機能を包含した、外部接続デバイス１５が装着されている。
表示部１６は、この外部接続デバイス１５により無線LAN親局と通信していることを視覚的に知らせるためのLEDなどである。
【００１６】
図３を参照して通信手順を説明する。
外部接続デバイス１５を経由した通信は、航空機内部の機内サーバー２に集約される。そして航空機のアンテナ経由、衛星経由Ｓで、一旦地上にある、各携帯電話のキャリアのネットワークセンターと通信するための専用サーバー３に集約される。
この専用通信サーバー３は、携帯電話のキャリアのネットワークセンターと回線が接続されていて、サーバー３により航空機内部よりの通信が、地上の無線基地局より受信したごとくのゲートウエイ通信を行う。
【００１７】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００１８】
【図１】発明の実施の形態に係る携帯電話機の動作フローチャートである。
【図２】発明の実施の形態に係る携帯電話機のブロック図である。
【図３】発明の実施の形態に係る通信手順の説明図である。
【符号の説明】
【００１９】
１    携帯電話機
２    機内サーバー
３    地上サーバー
Ｓ    通信衛星
【図１】
2006166002.tif 000003
【図２】
2006166002.tif 000004
【図３】
2006166002.tif 000005